(57)【要約】【課題】加熱調理器において、外部の無線付携帯端末からの信号を受信するための小電力無線受信装置を冷却すること。【解決手段】外部の無線付携帯端末からの信号を受信するための小電力無線受信装置１０はケース８に収納されており、ケース８は外装ベース７を介して機械室１の外に配置されている。よって、ケース８と外装ベース７の間に外部の冷たい空気層９を設けることにより、加熱室から漏れる熱気と輻射熱と熱伝導を大幅に軽減し、小電力無線受信装置１０の温度規格を満足することができる。【選択図】  図１
2004316948.tif 000002
【特許請求の範囲】
【請求項１】
食品を収納する加熱室と、食品を加熱する加熱手段と、前記加熱室に隣接して形成された機械室と、外装ベースと、調理情報を表示する表示部と、外部の無線付携帯端末からの信号を受信するための小電力無線受信装置と前記小電力無線受信装置を収納するためのケースを備え、前記ケースは、前記外装ベースの凹部に取りつけられ、前記ケースと前記外装ベースの間に空気層を設けたことを特徴とする加熱調理器。
【発明の詳細な説明】
【０００１】
【発明の属する技術分野】
本発明は、インターネットなどの宅外ネットワークより提供される調理メニューの加熱方法、加熱時間、制御温度などの情報を元にマイクロコンピューターが高周波加熱装置やヒータなどの熱源を制御して、提供された調理メニューに合わせて加熱制御する機能を有した加熱調理器に内蔵された小電力無線受信装置の冷却の構成に関するものである。
【０００２】
【従来の技術】
従来、この種の加熱調理器の外装ベースの機械室側に取り付けられている電気部品の温度規格は、６０〜７０℃で、図２は従来の冷却構成を示すものである。加熱室の温度は３００℃近くまで上昇しており、加熱室からの輻射熱や熱伝導、また加熱室から漏れてくる熱気により、機械室１の上部の温度はかなり高くなっている。そこで機械室１の底壁に形成された複数の吸気口２から外の冷たい空気を吸気し、機械室１内の雰囲気温度を下げた後、本体キャビネット４上に形成された複数の排気口５から排気されていくようになっていた。このような自然対流による冷却構成で、かろうじで電気部品の温度規格（６０〜７０℃）を満足していた（例えば特許文献１参照）。
【０００３】
【特許文献１】
特開平１１−２１０９９号公報（第２頁）
【０００４】
【発明が解決しようとする課題】
しかしながら、前記従来の冷却構成では、小電力無線受信装置の温度規格は５０℃であり、小電力無線受信装置に専用の送風機が必要となり、騒音やコスト面での問題だけではなく、オーブン調理において加熱室の温度を上昇させる際に、外から機械室に冷たい空気が入ってくることは加熱時間が長く必要となり、省エネに逆行するという課題を有していた。また、小電力無線受信装置を外装ベースや本体キャビネットの外側に配置すると、温度的には問題ないが、外形寸法が大きくなり、デザイン的にも見映えがしないという課題を有していた。
【０００５】
本発明は、前記従来の課題を解決するもので、小電力無線受信装置を冷却するための専用の送風機が必要なく、騒音やコスト的にも有利でかつ省エネで、外形寸法を大きくする必要の無い加熱調理器を提供することを目的とする。
【０００６】
【課題を解決するための手段】
前記従来の課題を解決するために、本発明の加熱調理器は、外部の無線付携帯端末からの信号を受信するための小電力無線受信装置を収納するためのケースを備え、前記ケースは、外装ベースの凹部に取りつけられ、前記ケースと前記外装ベースの間に空気層を設けたことを特徴としたものである。
【０００７】
これによって、前記小電力無線受信装置は機械室内ではなく、前記ケース内に位置し、加熱室からの輻射熱や熱伝導を大幅に軽減でき、加熱室から漏れてくる熱気の影響を受けなくても済む。また、前記ケースと前記外装ベースの間に空気層を設けることにより、絶えず外の冷たい空気に冷やされて、小電力無線受信装置専用の送風機がなくても温度規格を満足することができる。
【０００８】
【発明の実施の形態】
請求項１に記載の発明は、食品を収納する加熱室と、食品を加熱する加熱手段と、前記加熱室に隣接して形成された機械室と、外装ベースと、調理情報を表示する表示部と、外部の無線付携帯端末からの信号を受信するための小電力無線受信装置と前記小電力無線受信装置を収納するためのケースを備え、前記ケースは、前記外装ベースの凹部に取りつけられ、前記ケースと前記外装ベースの間に空気層を設けたことを特徴とする加熱調理器で、前記ケースと前記外装ベースの間に前記空気層を設けることにより、前記加熱室からの輻射熱や熱伝導を大幅に軽減でき、加熱室から漏れてくる熱気の影響を受けなくても済むことにより、前記ケース内の前記表示部の雰囲気温度を下げることができる。
【０００９】
【実施例】
以下本発明の実施例について、図面を参照しながら説明する。
【００１０】
（実施例１）
図１は、本発明の第１の実施例における要部断面図を示すものである。図１において、７は外装ベースであり、３は表示部、１０は小電力無線受信装置、８は小電力無線受信装置１０を収納したケースである。ケース８は外装ベース７の凹部に取り付けられており、１は機械室である。
【００１１】
以上のように構成された加熱調理器について以下に、その動作、作用を説明する。
【００１２】
機械室１は加熱室の温度が３００℃近くに達しているので、加熱室からの輻射熱や熱伝導、また加熱室から漏れてくる熱気により、機械室１内の上部の雰囲気温度は約８０℃に達している。８０℃という雰囲気温度は、制御基板６上にある電気部品の温度規格をかろうじで満たしているが、小電力無線受信装置１０の温度規格は約５０℃であるので、このままでは小電力無線受信装置１０を機械室１内に配置することはできず、配置するためには別途小電力無線受信装置１０専用の冷却ファンが必要となり、冷却ファンで外気を導入して、小電力無線受信装置１０を冷やす必要がある。
【００１３】
そこでまず、小電力無線受信装置１０はケース８に収納されており、ケース８は外装ベース７を介して機械室１の外側に配置されている。これによって、小電力無線受信装置１０は機械室１内ではなく、ケース８内に位置し、加熱室からの輻射熱や熱伝導を大幅に軽減でき、加熱室から漏れてくる熱気の影響を受けなくても済むようになっている。また、ケース８と外装ベース７の間に空気層９を設けることにより、絶えず外の冷たい空気に冷やされている。
【００１４】
このような構成にすることによって空気層９の雰囲気温度は外気とほとんど等しい温度となり、ケース８内の小電力無線受信装置１０の雰囲気温度は約３０℃となり、温度規格５０℃を十分に満足することができる。
【００１５】
【発明の効果】
以上のように、請求項１に記載の発明によれば、小電力無線受信装置はケースに収納されており、ケースは外装ベースを介して機械室の外側に配置されている。よって、小電力無線受信装置部は機械室内ではなく、ケース内に位置し、加熱室からの輻射熱や熱伝導を大幅に軽減でき、加熱室から漏れてくる熱気の影響を受けなくても済む。また、ケースと外装ベースの間に空気層を設けることにより、絶えず外の冷たい空気に冷やされて、小電力無線受信装置専用の送風機がなくても温度規格を満足することができる。
【図面の簡単な説明】
【図１】本発明の実施例１における加熱調理器の外装ベースの要部断面図
【図２】従来の加熱調理器の機械室の要部断面図
【符号の説明】
１  機械室
２  吸気口
３  表示部
４  本体キャビネット
５  排気口
６  制御基板
７  外装ベース
８  ケース
９  空気層
１０  小電力無線受信装置
【図１】
2004316948.tif 000003
【図２】
2004316948.tif 000004